(57)【特許請求の範囲】
【請求項１】
放電灯が異常状態であるか否かを検出し、異常ランプ検出信号として出力するランプ異常検出回路と、
上記放電灯が異常状態であることを示す異常ランプ検出信号を上記ランプ異常検出回路が出力する場合に、異常ランプ装着状態であることを示す情報を記憶する不揮発性メモリと、
異常ランプ装着状態であることを、上記不揮発性メモリが記憶していない場合に、上記放電灯を点灯する電力を上記放電灯に対して供給するインバータ回路と、
情報を処理する処理装置と、
上記ランプ異常検出回路が出力した異常ランプ検出信号を入力し、上記処理装置を用いて、入力した上記異常ランプ検出信号が、上記放電灯が異常状態であることを示すか否かを判断し、上記処理装置を用いて、入力した上記異常ランプ検出信号が、上記放電灯が異常状態であることを示すと判断した場合に、異常ランプ装着状態であることを示す情報を上記不揮発性メモリに書き込む異常ランプ検出判定部と、
上記処理装置を動作させる電力を、上記処理装置に対して、所定の時間供給し、所定の時間供給しないことを、繰り返す第一の電源回路と、
上記インバータ回路が上記放電灯を点灯する電力を上記放電灯に対して供給した場合に、上記処理装置を動作させる電力を、上記処理装置に対して供給する第二の電源回路とを有することを特徴とする放電灯点灯装置。
【請求項２】
上記放電灯点灯装置は、更に、
上記処理装置を用いて、上記不揮発性メモリに書き込まれた情報を読み出し、上記処理装置を用いて、上記不揮発性メモリから読み出した情報が、異常ランプ装着状態であることを示すか否かを判断し、上記処理装置を用いて、上記不揮発性メモリから読み出した情報が、異常ランプ装着状態でないことを示すと判断した場合に、ドライブ信号を出力するドライブ信号生成部を有し、
上記インバータ回路は、上記ドライブ信号生成部が生成したドライブ信号を入力し、上記ドライブ信号を入力した場合に、上記放電灯を点灯する電力を上記放電灯に対して供給することを特徴とする請求項１に記載の放電灯点灯装置。
【請求項３】
上記放電灯点灯装置は、更に、
交流電源から電力の供給を受けて直流電圧を生成し、生成した上記直流電圧を、上記インバータ回路に対して供給する直流電源回路と、
上記交流電源からの電力の供給が開始してから所定の時間経過したか否かを検出し、電源投入検出信号として出力する電源投入検出回路とを有し、
上記不揮発性メモリは、上記交流電源からの電力の供給が開始してから所定の時間が経過していないことを示す電源投入検出信号を上記電源投入検出回路が出力した場合に、異常ランプ装着状態でないことを示す情報を記憶することを特徴とする請求項１または請求項２に記載の放電灯点灯装置。
【請求項４】
上記放電灯点灯装置は、更に、
上記電源投入検出回路が出力した電源投入検出信号を入力し、上記処理装置を用いて、入力した電源投入検出信号が、上記交流電源からの電力の供給が開始してから所定の時間が経過していないことを示すか否かを判断し、上記処理装置を用いて、入力した電源投入検出信号が、上記交流電源からの電力の供給が開始してから所定の時間が経過していないことを示すと判断した場合に、異常ランプ装着状態でないことを示す情報を上記不揮発性メモリに書き込む電源投入リセット部を有することを特徴とする請求項３に記載の放電灯点灯装置。
【請求項５】
上記放電灯点灯装置は、更に、
上記放電灯のフィラメントがあるか否かを検出し、フィラメント検出信号として出力するフィラメント検出回路を有し、
上記不揮発性メモリは、上記放電灯のフィラメントがないことを示すフィラメント検出信号を上記フィラメント検出回路が出力した場合に、異常ランプ装着状態でないことを示す情報を記憶することを特徴とする請求項１乃至請求項４のいずれかに記載の放電灯点灯装置。
【請求項６】
上記放電灯点灯装置は、更に、
上記フィラメント検出回路が出力したフィラメント検出信号を入力し、上記処理装置を用いて、入力した上記フィラメント検出信号が、上記放電灯のフィラメントがないことを示すか否かを判断し、上記処理装置を用いて、入力した上記フィラメント検出信号が、上記放電灯のフィラメントがないことを示すと判断した場合に、異常ランプ装着状態でないことを示す情報を上記不揮発性メモリに書き込むフィラメントリセット部を有することを特徴とする請求項５に記載の放電灯点灯装置。
【請求項７】
上記不揮発性メモリは、更に、
上記放電灯のフィラメントがないことを示すフィラメント検出信号をフィラメント検出回路が出力した場合に、フィラメントなし状態を示す情報を記憶し、
上記放電灯のフィラメントがあることを示すフィラメント検出信号を上記フィラメント検出回路が出力し、かつ、フィラメントなし状態を示す情報を記憶している場合に、異常ランプ装着状態でないことを示す情報を記憶することを特徴とする請求項５または請求項６に記載の放電灯点灯装置。
【請求項８】
上記放電灯点灯装置は、更に、
上記フィラメント検出回路が出力したフィラメント検出信号を入力し、上記処理装置を用いて、入力した上記フィラメント検出信号が、上記放電灯のフィラメントがないことを示すか否かを判断し、上記処理装置を用いて、入力した上記フィラメント検出信号が、上記放電灯のフィラメントがないことを示すと判断した場合に、フィラメントなし状態を示す情報を上記不揮発性メモリに書き込むフィラメントなし記憶部と、
上記フィラメント検出回路が出力したフィラメント検出信号を入力し、上記処理装置を用いて、入力した上記フィラメント検出信号が、上記放電灯のフィラメントがあることを示すか否かを判断し、上記処理装置を用いて、入力した上記フィラメント検出信号が、上記放電灯のフィラメントがあることを示すと判断した場合に、上記不揮発性メモリからフィラメントなし状態についての情報を読み出し、上記処理装置を用いて、上記不揮発性メモリから読み出したフィラメントなし状態についての情報がフィラメントなし状態であることを示すか否かを判断し、上記処理装置を用いて、上記不揮発性メモリから読み出したフィラメントなし状態についての情報がフィラメントなし状態であることを示すと判断した場合に、異常ランプ装着状態でないことを示す情報と、フィラメントなし状態でないことを示す情報とを、上記不揮発性メモリに書き込むフィラメントリセット部とを有することを特徴とする請求項７に記載の放電灯点灯装置。
【発明の詳細な説明】
【技術分野】
【０００１】
この発明は、放電灯を点灯する放電灯点灯装置および放電灯点灯方法に関する。より詳しくは、放電灯の異常状態を検出した場合の保護回路の制御に関する。
【背景技術】
【０００２】
放電灯の異常点灯を検出し、インバータ回路の発振を停止することによって、回路を保護する技術がある。
インバータ回路の発振を停止すると、放電灯が消灯するので、放電灯が異常であることを検出することはできない。
インバータ回路は、なんらかの発振再開要因を検出するまで、発振の停止を継続する。
【特許文献１】特開２００４−０５５４２４号公報
【特許文献２】特開２００４−２４７２２５号公報
【発明の開示】
【発明が解決しようとする課題】
【０００３】
温室効果ガス削減が叫ばれている昨今、放電灯点灯装置の消費電力を抑えることは重要な課題である。
放電灯の異常点灯を検出し、インバータ回路の発振を停止した場合であっても、発振再開要因を監視するため、インバータ回路を制御する制御回路には、電源を供給し続ける必要があった。
この発明は、例えば、上記のような課題を解決するためになされたものであり、インバータ回路を制御する制御回路や制御回路に電源を供給するための電源回路など放電灯点灯装置における消費電力を抑えることを目的とする。
【課題を解決するための手段】
【０００４】
この発明にかかる放電灯点灯装置は、
放電灯が異常状態であるか否かを検出し、異常ランプ検出信号として出力するランプ異常検出回路と、
上記放電灯が異常状態であることを示す異常ランプ検出信号を上記ランプ異常検出回路が出力した場合に、異常ランプ装着状態であることを示す情報を記憶する不揮発性メモリと、
異常ランプ装着状態であることを、上記不揮発性メモリが記憶していない場合に、上記放電灯を点灯する電力を上記放電灯に対して供給するインバータ回路と、
を有することを特徴とする。
【発明の効果】
【０００５】
この発明にかかる放電灯点灯装置によれば、例えば、ランプ異常検出回路が、放電灯が異常状態であることを検出した場合に、不揮発性メモリが異常ランプ装着状態であることを記憶し、不揮発性メモリが異常ランプ装着状態であることを記憶していない場合に、インバータ回路が、放電灯を点灯する電力を放電灯に対して供給するので、放電灯が異常状態である場合に、再び放電灯を点灯してみる必要がなく、消費電力を抑えることができるという効果を奏する。
【発明を実施するための最良の形態】
【０００６】
実施の形態１．
実施の形態１を、図１〜図１０を用いて説明する。
【０００７】
図１は、この実施の形態における放電灯点灯装置１００の全体構成を示す全体構成図である。
この実施の形態では、マイクロコンピュータ及び不揮発性メモリを使用した場合の例について説明する。また、マイクロコンピュータを動作させる制御電源を、間欠的に印加する場合の例について説明する。
放電灯点灯装置１００は、直流電源回路１１０（電源整流回路１及びアクティブフィルタ回路２）、インバータ回路３、負荷回路４、マイコン６、制御電源回路７，８、ランプ異常検出回路１４、不揮発性メモリ１５、電源投入検出回路１６、フィラメント検出回路１７を有する。
【０００８】
直流電源回路１１０は、商用電源などの交流電源ＡＣから電力の供給を受け、これを直流電圧（例えば、直流２８０Ｖ）に変換して、変換した直流電圧をインバータ回路３に供給する。
電源整流回路１（整流回路部）は、電源電圧の整流、及び、ノイズの除去を行う回路である。電源整流回路１は、例えば、ダイオードブリッジにより構成する。
電源整流回路１は、交流電源ＡＣから交流電圧を入力し、脈流電圧を出力する。
アクティブフィルタ回路２（アクティブフィルタ回路部、昇圧チョッパ回路）は、電源電圧波形に沿ってスイッチングを行うことにより、電源電圧を所定の直流電圧に昇圧すると共に入力電流波形を整形して力率を改善する回路である。
アクティブフィルタ回路２は、電源整流回路１から脈流電圧を入力し、直流電圧を出力する。
【０００９】
インバータ回路３（インバータ回路部）は、アクティブフィルタ回路２で昇圧された直流電圧の供給を受け、これを高周波交流電圧に変換して、変換した高周波交流電圧を負荷回路４に供給する。
インバータ回路３は、ドライブ回路５、ＦＥＴ（電界効果型トランジスタ）Ｑ１，Ｑ２を有する。
ドライブ回路５は、マイコン６が出力するドライブ信号を入力し、入力したドライブ信号を増幅して、ＦＥＴＱ１及びＱ２をスイッチングする信号を生成する。
ＦＥＴＱ１及びＱ２は、ドライブ回路から出力された信号を入力し、スイッチング動作を行う。ここで、ＦＥＴＱ１に入力する信号と、ＦＥＴＱ２に入力する信号とは、逆極性の電圧を有するので、ＦＥＴＱ１と、ＦＥＴＱ２とは、交互にスイッチングする。これにより、インバータ回路３は、高周波電圧を発生させる。
【００１０】
ランプ異常検出回路１４は、ランプ異常状態を検出する回路である。
ここで、ランプ異常状態とは、放電灯点灯装置１００に装着した放電灯ＬＡが、寿命末期などにより、フィラメントがエミレス状態となって整流点灯するなどの状態のことをいう。
ランプ異常検出回路１４は、ランプ異常状態であるか否かを示す異常ランプ検出信号を出力する。
【００１１】
フィラメント検出回路１７は、放電灯ＬＡのフィラメントがあるか否かを検出する回路である。
ここで、フィラメントがあるとは、正常なフィラメントを有する放電灯ＬＡが放電灯点灯装置１００に装着されている状態をいう。放電灯ＬＡが装着されていなかったり、装着されていてもフィラメントが切れている場合には、フィラメント検出回路１７は、フィラメントがないものとして検出する。
フィラメント検出回路１７は、放電灯ＬＡの点灯を試みなくても、放電灯ＬＡのフィラメントがあるか否かを検出できる。
フィラメント検出回路１７は、フィラメントがあるか否かを示すフィラメント検出信号を出力する。
【００１２】
マイクロコンピュータ６（処理装置。以下、「マイコン」という）は、プログラムを実行することにより、ドライブ回路５に対して出力するドライブ信号を生成する。マイコン６は、ランプ異常検出回路１４が出力した異常ランプ検出信号などを入力し、入力した情報に基づいて、出力するドライブ信号などを制御する。
なお、マイコン６が実行するプログラムは、例えば、ＲＯＭなどの記憶装置（図示せず）に記憶されており、必要に応じてマイコン６が読み出して実行する。
【００１３】
不揮発性メモリ１５は、情報を保持する回路である。不揮発性メモリ１５は、情報を書き込むことができ、あとで書き込んだ情報を読み出すことができる。また、電源を切っても、書き込んだ情報を保持しているので、再び電源を入れれば、電源を切る前に書き込んだ情報を読み出すことができる。不揮発性メモリ１５は、例えば、ＥＥＰＲＯＭなどを用いて構成する。
不揮発性メモリ１５は、異常ランプ装着状態についての情報を記憶する。
不揮発性メモリ１５は、例えば、１ビットの情報を保持し、異常ランプ装着状態である場合には「１」を保持し、異常ランプ装着状態でない場合には「０」を保持する。
【００１４】
負荷回路４（負荷回路部）は、インバータ回路３が出力した高周波電圧を入力し、インダクタＬ１、コンデンサＣ１及び結合コンデンサＣの共振を利用して、放電灯ＬＡ（ランプ）を点灯させる回路である。
【００１５】
制御電源回路７（第一の電源回路）は、マイコン６が動作するために必要な電力を供給する電源回路である。
制御電源回路７は、電源整流回路１が出力した脈流電圧を入力し、マイコン６に供給する直流電圧（例えば、５Ｖ）を生成して、出力する。
制御電源回路７は、ランプ異常検出回路１４がランプ異常状態を検出するなどして、インバータ回路３が回路保護のため発振を停止し、放電灯ＬＡへの電力を供給しない待機状態となった場合に、放電灯点灯装置１００における消費電力を削減するため、間欠的に動作する。
すなわち、制御電源回路７は、マイコン６に対して電源を供給するが、ある程度の時間（例えば、５０ｍｓ）が経過すると、マイコン６に対する電源の供給を停止する。その後、ある程度の時間（例えば、１００〜２００ｍｓ）が経過すると、また、マイコン６に対する電源の供給を再開する。
【００１６】
制御電源回路８（第二の電源回路）は、制御電源回路７と同様、マイコン６が動作するために必要な電力を供給する電源回路である。
制御電源回路８は、インバータ回路３が出力した高周波電圧を入力し、マイコン６に供給する直流電圧を生成して、出力する。
【００１７】
電源投入検出回路１６（ＡＣ有無判定回路、商用電源投入検出回路部）は、交流電源ＡＣからの電力の供給が開始された直後であるか否かを検出する回路である。電源投入検出回路１６は、検出した結果を示す電源投入検出信号を出力する。
すなわち、電源スイッチＳＷをオンにして、直流電源回路１１０に対して、交流電源ＡＣからの電力供給が開始してから、所定の期間の間、電源投入検出回路１６は、電力の供給が開始した直後であることを示す電源投入検出信号を出力する。その後、電源投入検出回路１６は、電力の供給が開始した直後ではないことを示す電源投入検出信号を出力する。
【００１８】
次に、制御電源回路７について説明する。
【００１９】
図２は、この実施の形態における制御電源回路７の回路構成を示す回路図である。
初期状態において、トランジスタＱ４０，Ｑ４１，Ｑ４６はオフであり、コンデンサＣ３４，Ｃ５０は充電されていない。
電源スイッチＳＷがオンになり、放電灯点灯装置１００に交流電源ＡＣからの電力が供給されると、電源整流回路１は、脈流電圧を出力する。
制御電源回路７は、電源整流回路１が出力した脈流電圧を入力し、コンデンサＣ３４が充電される。
コンデンサＣ３４に充電された電圧がツェナーダイオードＺＤ３５の閾値電圧を超えてると、トランジスタＱ４１がオンになり、トランジスタＱ４０、トランジスタＱ４６も順次オンになる。
これにより、コンデンサＣ５０が充電され、コンデンサＣ５０に充電された電圧がマイコン６に供給される電源電圧となる。
【００２０】
制御電源回路８からの電力供給がない場合、コンデンサＣ３４の充電回路の時定数よりも放電回路の時定数のほうが小さいので、コンデンサＣ３４の電圧は、少しずつ下がる。
これにより、ツェナーダイオードＺＤ３５はオフとなるが、ツェナーダイオードＺＤ４７がオンなので、トランジスタＱ４１はオンのままであり、したがって、トランジスタＱ４０、Ｑ４６もオンの状態を継続する。
【００２１】
更に、コンデンサＣ３４が放電すると、ツェナーダイオードＺＤ４５に加わる電圧が下がると、ツェナーダイオードＺＤ４５がオフとなる。これにより、トランジスタＱ４６がオフとなるので、コンデンサＣ５０の充電回路が遮断される。
コンデンサＣ５０が放電して、ツェナーダイオードＺＤ４７がオフになると、トランジスタＱ４１がオフになり、トランジスタＱ４０もオフになる。
これにより、コンデンサＣ３４の放電回路が遮断されるので、コンデンサＣ３４が再び充電される。
【００２２】
以上を繰り返すことにより、マイコン６に対し、間歇的に電力が供給される。
【００２３】
なお、制御電源回路８からの電力供給がある場合には、制御電源回路８からの電流でコンデンサＣ５０が充電されるので、コンデンサＣ３４の放電回路の時定数が大きくなり、コンデンサＣ３４の充電電圧が下がらない。
その後、制御電源回路８からの電力供給が停止した場合には、コンデンサＣ３４が放電するまでの一定時間、制御電源回路７がマイコン６に電力を供給する。コンデンサＣ３４がある程度放電した後、上記繰り返しに入る。
【００２４】
図３は、この実施の形態における制御電源回路７がマイコン６に対して供給する電源電圧を示す波形図である。
上記説明したとおり、制御電源回路８からの電力供給がない状態では、コンデンサＣ３４が充電と放電とを繰り返すことにより定まる間隔で、マイコン６に対して電源電圧ＶＤＤが間歇的に供給される。なお、電源電圧ＶＤＤの電圧値は、ツェナーダイオードＺＤ４７のツェナー電圧によって定まる。
【００２５】
次に、制御電源回路８について説明する。
【００２６】
電源投入時など、マイコン６が動作していない状態では、ドライブ回路５にドライブ信号が入力されないため、インバータ回路３は停止している。
したがって、制御電源回路８は動作しない。
制御電源回路７が動作し、マイコン６に電源電圧を印加すると、マイコン６が動作を開始する。制御電源回路７がマイコン６に対する電源の供給を停止するまでの短時間の間に、マイコン６がドライブ信号を出力すると、インバータ回路３が発振動作し、高周波電圧を出力する。
制御電源回路８は、インバータ回路３が出力した高周波電圧を入力すると、マイコン６に対する電力の供給を開始する。
これにより、マイコン６は継続して電力の供給を受けることができるので、動作を継続する。
【００２７】
図４は、この実施の形態における制御電源回路８がマイコン６に対して供給する電源電圧を示す波形図である。
【００２８】
時刻ｔ１において、制御電源回路７がマイコン６に対する電力の供給を開始する。
これにより、マイコン６は、動作電力の供給を受けることができ、動作を開始する。
制御電源回路８が動作しなければ、時刻ｔ２において、制御電源回路７は、マイコン６に対する電力の供給を停止する。
しかし、時刻ｔ２になる前に、マイコン６がドライブ信号を出力（発振制御）して、インバータ回路３が動作する場合には、制御電源回路８がマイコン６に対して電力を供給し続ける。
マイコン６は、引き続き電力の供給を受け、動作を継続するので、ランプ異常状態を検出するなどしてドライブ信号の出力を停止しない限り、ドライブ信号の出力を続ける。
これにより、インバータ回路３が動作を継続し、制御電源回路８がマイコン６に対して、安定的に電源電圧を供給することができる。
【００２９】
これに対し、マイコン６がドライブ信号を出力せず、インバータ回路３が発振しない（高周波電圧を出力しない）場合には、制御電源回路８が動作しないので、電源を供給できない。
例えば、前述したように、マイコン６が異常ランプ装着状態を検出し、回路保護のため、ドライブ信号の出力を停止した場合、インバータ回路３は発振せず、放電灯ＬＡ（ランプ）は消灯となる。インバータ回路３が発振しないので、制御電源回路８からの電源供給はストップされる。
【００３０】
このように、２つの制御電源回路７，８により、マイコン６の電源電圧を生成する。
電源投入時には、制御電源回路７が動作し、マイコン６に電力を供給する。これにより、マイコン６が起動し、ドライブ信号の出力を開始する。
マイコン６がドライブ信号を出力すると、インバータ回路３が動作を始め、制御電源回路８が動作して、マイコン６に電力を供給する。これにより、マイコン６は、動作を継続する。
一方、ランプ異常状態を検出するなどして、マイコン６がドライブ信号を出力せず、インバータ回路８が発振を停止した場合には、制御電源回路８がマイコン６に電力を供給しないので、マイコン６は、制御電源回路７から供給される電力により、動作する。
ここで、制御電源回路７から供給される電源電圧は間歇的であるので、制御電源回路７からの電力の供給が停止すると、マイコン６は停止する。
これにより、ランプ異常検出などによる消灯状態での消費電力が削減できる。
【００３１】
次に、電源投入検出回路１６について説明する。
【００３２】
図５は、この実施の形態における電源投入検出回路１６の回路構成を示す回路図である。
【００３３】
電源投入検出回路１６は、電源整流回路１が出力する脈流電圧を入力する。
電源投入検出回路１６は、コンデンサＣ３の両端電圧を、電源投入検出信号として出力する。
電源投入前は、コンデンサＣ２及びコンデンサＣ３は、充電されていない。
【００３４】
電源が投入され、電源整流回路１が脈流電圧を出力すると、コンデンサＣ２，Ｃ３に電流が流れ、コンデンサＣ２，Ｃ３が充電される。
このとき、コンデンサＣ２に流れる電流とコンデンサＣ３に流れる電流とはほぼ等しいため、コンデンサＣ２とコンデンサＣ３とは、コンデンサＣ３とコンデンサＣ２との容量の比にほぼ等しい分圧比で、充電される。例えば、Ｃ２：Ｃ３＝１：１０なら、ＶＣ２：ＶＣ３＝１：１／１０＝１０：１となる。すなわち、コンデンサＣ３には、電源整流回路１が出力する電圧（例えば、１００Ｖ）の１１分の１の電圧（この例では、約９Ｖ）が充電される。
したがって、電源投入直後において、電源投入検出回路１６が出力する電源投入検出信号は、高電位となる。
【００３５】
コンデンサＣ３に溜まった電荷は、抵抗Ｒ２を介して放電される。また、コンデンサＣ２に溜まった電荷は、抵抗Ｒ１及び抵抗Ｒ２を直列接続した回路を介して放電される。
ここで、コンデンサＣ３の放電回路の時定数（Ｒ２×Ｃ３）は、コンデンサＣ２の放電回路の時定数（（Ｒ１＋Ｒ２）×Ｃ２）よりも小さいものとする。
【００３６】
電源整流回路１からの脈流電圧により、ダイオードＤ１がオンになっている期間は、コンデンサＣ２及びコンデンサＣ３が充電される。また、コンデンサＣ２及びコンデンサＣ３は、それぞれの放電回路（Ｒ１またはＲ１＋Ｒ２）により、常に放電している。
コンデンサＣ２は、放電回路の時定数が大きいので、放電量よりも充電量が多く、コンデンサＣ２の両端電圧は、徐々に上昇する。
コンデンサＣ３は、放電回路の時定数が小さいので、充電量よりも放電量が多く、コンデンサＣ３の両端電圧は、徐々に低下する。
したがって、電源投入からしばらく経過すると、コンデンサＣ３の両端電圧はほぼ０Ｖとなり、コンデンサＣ２の両端電圧は、電源整流回路１からの脈流電圧のピーク値にほぼ等しくなる。
このとき、電源投入検出回路１６が出力する電源投入検出信号は、低電位となる。
【００３７】
このようにして電源投入検出回路１６が出力する電源投入検出信号の電位から、電源投入直後であるか否かを判別することができる。
【００３８】
電源投入検出回路１６が出力する電源投入検出信号が適切な電位になるように設計すれば、電源投入検出信号を直接マイコン６に入力することができる。
例えば、電源投入検出回路１６に、電源整流回路１の出力した脈流電圧を直接入力するのではなく、電源整流回路１の出力した脈流電圧を抵抗分圧した電圧を入力することにより、電源投入検出回路１６が出力する電源投入検出信号の電位を調整することが可能である。
あるいは、コンパレータなどにより、電源投入検出回路１６が出力した信号と、所定の閾値電圧とを比較して、コンパレータの出力信号をマイコン６に入力してもよい。
【００３９】
次に、マイコン６により実現される機能ブロックを、更に詳しく説明する。
【００４０】
図６は、この実施の形態において、マイコン６がプログラムを実行することにより実現される機能ブロックの構成の一例を示すブロック構成図である。
なお、ここで説明する各ブロックは、マイコン６がプログラムを実行することにより実現するのではなく、論理回路を用いて実現してもよい。
【００４１】
ドライブ信号生成部６１は、マイコン６を用いて、インバータ回路３を動作させるドライブ信号を生成する。ドライブ信号生成部６１が生成したドライブ信号は、ドライブ回路５に対して出力される。
ドライブ信号生成部６１は、マイコン６を用いて、不揮発性メモリ１５から異常ランプ装着状態についての情報を読み出す。
ドライブ信号生成部６１は、マイコン６を用いて、不揮発性メモリ１５から読み出した情報が、異常ランプ装着状態であることを示す情報であるか否かを判断する。
ドライブ信号生成部６１は、不揮発性メモリ１５から読み出した情報が異常ランプ装着状態であることを示す情報であると判断した場合、ドライブ信号を生成しない。
一方、不揮発性メモリ１５から読み出した情報が異常ランプ装着状態でないことを示す情報であると判断した場合、ドライブ信号生成部６１は、マイコン６を用いて、ドライブ信号を生成する。
【００４２】
これにより、不揮発性メモリ１５が異常ランプ装着状態であることを記憶している場合には、マイコン６はドライブ信号を出力しない。したがって、インバータ回路３が動作せず、放電灯ＬＡは点灯しない。
【００４３】
異常ランプ検出判定部６２は、異常ランプの検出を判定する。
すなわち、異常ランプ検出判定部６２は、マイコン６を用いて、ランプ異常検出回路１４が出力した異常ランプ検出信号を入力する。
異常ランプ検出判定部６２は、マイコン６を用いて、入力した異常ランプ検出信号が、ランプ異常状態であることを示す信号であるか否かを判断する。
異常ランプ検出判定部６２は、入力した異常ランプ検出信号が、ランプ異常状態であることを示す信号であると判断した場合、マイコン６を用いて、異常ランプ装着状態であることを示す情報を、不揮発性メモリ１５に書き込む。
【００４４】
これにより、ランプ異常検出回路１４がランプ異常状態を検出した場合には、異常ランプ装着状態であることを示す情報を、不揮発性メモリ１５が記憶する。したがって、ドライブ信号生成部６１がドライブ信号を生成せず、放電灯ＬＡは点灯しない。
【００４５】
電源投入リセット部６３は、電源投入リセットを判定する。
すなわち、電源投入リセット部６３は、マイコン６を用いて、電源投入検出回路１６が出力した電源投入検出信号を入力する。
電源投入リセット部６３は、マイコン６を用いて、入力した電源投入検出信号が、電源投入直後であることを示す信号であるか否かを判断する。
電源投入リセット部６３は、入力した電源投入検出信号が、電源投入直後であることを示す信号であると判断した場合、マイコン６を用いて、異常ランプ装着状態でないことを示す情報を、不揮発性メモリ１５に書き込む。
【００４６】
これにより、電源投入検出回路１６が電源投入直後であることを検出した場合には、異常ランプ装着状態でないことを示す情報を、不揮発性メモリ１５が記憶する。すなわち、電源を切って放電灯ＬＡを交換したのち再び電源を入れた場合に、不揮発性メモリ１５の内容がクリアされる。したがって、ドライブ信号生成部６１がドライブ信号を生成し、放電灯ＬＡが点灯する。
なお、電源を切っただけで放電灯ＬＡを交換しなかった場合には、放電灯ＬＡが異常点灯するので、ランプ異常検出回路１４がランプ異常状態を検出し、不揮発性メモリ１５は、異常ランプ装着状態であることを示す情報を、再び記憶する。したがって、ドライブ信号生成部６１はドライブ信号の生成を停止し、放電灯ＬＡは再び消灯する。
【００４７】
フィラメントリセット部６４は、フィラメントリセットを判定する。
すなわち、フィラメントリセット部６４は、マイコン６を用いて、フィラメント検出回路１７が出力したフィラメント検出信号を入力する。
フィラメントリセット部６４は、マイコン６を用いて、入力したフィラメント検出信号が、放電灯ＬＡのフィラメントがないことを示す信号であるか否かを判断する。
フィラメントリセット部６４は、入力したフィラメント検出信号が、放電灯ＬＡのフィラメントがないことを示す信号である場合、マイコン６を用いて、異常ランプ装着状態でないことを示す情報を、不揮発性メモリ１５に書き込む。
【００４８】
これにより、フィラメント検出回路１７がフィラメントなしを検出した場合には、異常ランプ装着状態でないことを示す情報を、不揮発性メモリ１５が記憶する。すなわち、電源を入れたまま放電灯ＬＡを交換した場合に、不揮発性メモリ１５の内容がクリアされる。したがって、ドライブ信号生成部６１がドライブ信号を生成し、放電灯ＬＡが点灯する。
なお、放電灯ＬＡを外しただけで再び同じ放電灯ＬＡを装着した場合には、放電灯ＬＡが異常点灯するので、ランプ異常検出回路１４がランプ異常状態を検出し、不揮発性メモリ１５は、異常ランプ装着状態であることを示す情報を、再び記憶する。したがって、ドライブ信号生成部６１はドライブ信号の生成を停止し、放電灯ＬＡは再び消灯する。
【００４９】
次に、動作について説明する。
電源投入時の動作については、すでに図４を用いて説明したが、ここで、もう一度説明する。
【００５０】
（１）まず、交流電源ＡＣの電源スイッチＳＷをオンにする。
【００５１】
（２）交流電源ＡＣから直流電源回路１１０に電力が供給され、電源整流回路１が脈流電圧を出力する。
【００５２】
（３）制御電源回路７が動作し、制御電源回路７からマイコン６に対して電源電圧が印加（供給）される。
【００５３】
（４）マイコン６が起動して、パワーオンリセット動作をする。
ここで、パワーオンリセット動作とは、電源投入時には、レジスタやＲＡＭなどの揮発性メモリの内容が不定となるため、マイコン６が誤動作しないよう、ＲＡＭをクリアするなど初期化する動作のことをいう。
【００５４】
（５）次に、マイコン６（ドライブ信号生成部６１）がドライブ信号を生成し、出力する。
【００５５】
（６）マイコン６が出力したドライブ信号をドライブ回路５が入力し、ドライブ回路５が動作する。これにより、インバータ回路３が発振動作し、高周波電圧を出力する。インバータ回路３が出力した高周波電圧を負荷回路４が入力し、放電灯ＬＡ（ランプ）を点灯させる。
【００５６】
（７）インバータ回路３の発振動作により、制御電源回路８が動作する。これにより、制御電源回路８から安定した電源がマイコン６に供給される。
【００５７】
次に、放電灯ＬＡがランプ異常状態であることを、ランプ異常検出回路１４が検出した場合の動作について説明する。
【００５８】
図７は、この実施の形態において、放電灯ＬＡに異常が発生し、ランプ異常状態となった場合における各部の動作を示す図である。
【００５９】
（８）放電灯ＬＡに異常が発生し、ランプ異常検出回路１４がランプ異常状態であることを検出する。ランプ異常検出回路１４は、ランプ異常状態であることを示す異常ランプ検出信号を出力する。
【００６０】
（９）ランプ異常検出回路１４が出力した異常ランプ検出信号を、マイコン６（異常ランプ検出判定部６２）が入力し、異常ランプ装着状態であると判断する。
【００６１】
（１０）マイコン６（ドライブ信号生成部６１）がドライブ信号の生成を停止し、インバータ回路３の発振動作をストップする。
【００６２】
（１１）インバータ回路３の発振が停止し、放電灯ＬＡが消灯する。
【００６３】
（１２）制御電源回路８が動作しなくなるので、制御電源回路８からマイコン６に対する電力の供給はストップされる。この時点で、制御電源回路７のコンデンサＣ３４は十分に充電された状態なので、制御電源回路７からマイコン６に対して電源が供給される。
【００６４】
（１３）制御電源回路８から安定した電力が供給されないので、制御電源回路７のコンデンサＣ３４は徐々に放電する。ある程度の時間が経過したのち、制御電源回路７からの電源供給も停止し、マイコン６は動作を停止する。
【００６５】
（１４）その後、マイコン６は、制御電源回路７から間歇的な電源の供給を受け、再び起動する。マイコン６は、再びパワーオンリセットとなり、ＲＡＭをクリアするなどの初期化動作をする。
【００６６】
このように、この実施の形態に示した回路構成では、異常ランプ検出などにより放電灯ＬＡを消灯した状態では、マイコン６に供給される制御電源が間歇的である。マイコン６は、電源が立ち上がる度に、パワーオンリセット動作を繰り返す。
【００６７】
この実施の形態における放電灯点灯装置１００の動作を説明する前に、参考のため、異常ランプ装着状態についての情報を不揮発性メモリ１５に記憶しない構成とした場合の動作について説明する。
【００６８】
（１５）（８）で得られた異常ランプ装着状態についての情報は、マイコン６のＲＡＭなど揮発性メモリに保持されていたため、クリアされている。また、放電灯ＬＡは点灯していないため、ランプ異常検出回路１４は、ランプ異常状態であることを示す異常ランプ検出信号を出力しない。
したがって、マイコン６（ドライブ信号生成部６１）は、放電灯ＬＡが正常であると判断し、ドライブ信号を生成し、出力する。
【００６９】
（１６）インバータ回路３が動作し、放電灯ＬＡが点灯すると、異常点灯するので、ランプ異常検出回路１４がランプ異常状態を検出する。その結果、点灯→異常検出→消灯→点灯を繰り返すこととなる。
【００７０】
次に、この実施の形態における放電灯点灯装置１００の動作について、説明する。この実施の形態における放電灯点灯装置１００は、上記説明した参考例と比較して、不揮発性メモリ１５を追加している点が異なる。
【００７１】
図８は、この実施の形態における放電灯点灯装置１００による放電灯点灯動作の処理の流れを示すフローチャート図である。
【００７２】
Ｓ１０１において、制御電源回路７は、マイコン６に対して電源を供給する。これにより、マイコン６が起動する。
【００７３】
Ｓ１０２において、マイコン６は、パワーオンリセット動作し、ＲＡＭなどを初期化する。
【００７４】
Ｓ１０３において、ドライブ信号生成部６１は、マイコン６を用いて、不揮発性メモリ１５から、異常ランプ装着状態についての情報を読み出す。
【００７５】
Ｓ１０４において、ドライブ信号生成部６１は、マイコン６を用いて、Ｓ１０３で不揮発性メモリ１５から読み出した異常ランプ装着状態についての情報が、異常ランプ装着状態であることを示す情報か、異常ランプ装着状態でないことを示す情報かを判断する。
異常ランプ装着状態であることを示す情報である場合には、Ｓ２００へ進み、復帰動作のあと、復帰原因がなければ、Ｓ１１５へ進む。
異常ランプ装着状態でないことを示す情報である場合には、Ｓ１０５へ進む。
【００７６】
Ｓ１０５において、ドライブ信号生成部６１は、マイコン６を用いて、放電灯ＬＡを予熱、始動するためのドライブ信号を生成し、出力する。
【００７７】
Ｓ１０６において、インバータ回路３は、Ｓ１０５でドライブ信号生成部６１が生成したドライブ信号を入力し、発振動作する。これにより、放電灯ＬＡに電力が供給され、放電灯ＬＡが点灯する。
Ｓ１０６は、放電灯点灯工程の一例である。
また、これにより、制御電源回路８が動作し、マイコン６に対して電源を供給する。
【００７８】
Ｓ１０７において、ドライブ信号生成部６１は、マイコン６を用いて、放電灯ＬＡを継続して点灯するためのドライブ信号を生成し、出力する。
【００７９】
Ｓ１０８において、インバータ回路３は、Ｓ１０７でドライブ信号生成部６１が生成したドライブ信号を入力し、発振動作する。これにより、放電灯ＬＡに電力が供給され、放電灯ＬＡが継続して点灯する。
【００８０】
Ｓ１０９において、ランプ異常検出回路１４は、放電灯ＬＡの点灯状態を検出し、ランプ異常状態であるか否かを示す異常ランプ検出信号を出力する。
Ｓ１０９は、ランプ異常検出工程の一例である。
【００８１】
Ｓ１１０において、異常ランプ検出判定部６２は、マイコン６を用いて、Ｓ１０９でランプ異常検出回路１４が出力した異常ランプ検出信号を入力する。
【００８２】
Ｓ１１１において、異常ランプ検出判定部６２は、マイコン６を用いて、Ｓ１１０でランプ異常検出回路１４から入力した異常ランプ検出信号が、放電灯ＬＡがランプ異常状態であることを示す信号か、放電灯ＬＡがランプ異常状態でないことを示す信号かを判断する。
放電灯ＬＡがランプ異常状態であることを示す信号である場合には、Ｓ１１２へ進む。
放電灯ＬＡがランプ異常状態でないことを示す信号である場合には、Ｓ１０７に戻る。
【００８３】
Ｓ１１２において、ドライブ信号生成部６１は、マイコン６を用いて、ドライブ信号の生成を停止する。
【００８４】
Ｓ１１３において、インバータ回路３は、入力するドライブ信号がＳ１１２で停止したので、発振動作を停止する。これにより、放電灯ＬＡに電力が供給されなくなり、放電灯ＬＡが消灯する。
また、これにより、制御電源回路８も動作を停止し、マイコン６に対する電源の供給を停止する。
マイコン６は、その後、制御電源回路７からの電力供給により、動作を継続する。
【００８５】
Ｓ１１４において、異常ランプ検出判定部６２は、マイコン６を用いて、異常ランプ装着状態であることを示す情報を、不揮発性メモリ１５に書き込む（異常ランプ装着状態記憶工程）。
【００８６】
Ｓ１１５において、マイコン６は、処理を停止する。
【００８７】
Ｓ１１３で制御電源回路８からの電力供給が停止した時点で、制御電源回路７のコンデンサＣ３４は、十分に充電されている。したがって、Ｓ１１４を実行するのに十分な時間の間、制御電源回路７は、マイコン６に対して電力を供給する。
マイコン６は、電源が切れる前にしなければならない処理が終了すると、Ｓ１１５を実行し、電源が切れるのを待つ。
その後、制御電源回路７からの電力供給も停止し、マイコン６の処理は終了する。
【００８８】
制御電源回路７はマイコン６に対して間歇的に電力を供給するので、その後、Ｓ１０１に戻り、マイコン６は、最初から処理を再開する。
【００８９】
なお、Ｓ１１４は、Ｓ１１２に先立って実行してもよい。
しかし、ランプ異常状態を検出した場合には、回路保護のため、一刻も早くインバータ回路３の発振を停止する必要があるので、Ｓ１１４はＳ１１３のあとに実行するほうが好ましい。
【００９０】
次に、以上説明した処理の流れによって、放電灯点灯装置１００がどのように動作するかを説明する。
【００９１】
（１）まず、交流電源ＡＣの電源スイッチＳＷをオンにする。
【００９２】
（２）交流電源ＡＣから直流電源回路１１０に電力が供給され、電源整流回路１が脈流電圧を出力する。
【００９３】
（３）制御電源回路７が動作し、制御電源回路７からマイコン６に対して電源電圧が印加（供給）される（Ｓ１０１）。
【００９４】
（４）マイコン６が起動して、パワーオンリセット動作をする（Ｓ１０２）。
【００９５】
（５ａ）マイコン６（ドライブ信号生成部６１）が、不揮発性メモリ１５から異常ランプ装着状態についての情報を読み出す（Ｓ１０３）。
【００９６】
（５ｂ）マイコン６（ドライブ信号生成部６１）が、不揮発性メモリ１５から読み出した情報が異常ランプ装着状態であることを示す情報であるか否かを判断する（Ｓ１０４）。
【００９７】
（５ｃ）不揮発性メモリ１５から読み出した情報が異常ランプ装着状態でないことを示す情報であると判断した場合、マイコン６（ドライブ信号生成部６１）は、ドライブ信号を生成し、出力する（Ｓ１０５）。
【００９８】
（６）マイコン６が出力したドライブ信号をドライブ回路５が入力し、ドライブ回路５が動作する。これにより、インバータ回路３が発振動作し、高周波電圧を出力する。インバータ回路３が出力した高周波電圧を負荷回路４が入力し、放電灯ＬＡを点灯させる（Ｓ１０６）。
【００９９】
（７）インバータ回路３の発振動作により、制御電源回路８が動作する。これにより、制御電源回路８から安定した電源がマイコン６に供給される。
【０１００】
（８）放電灯ＬＡが点灯中に、放電灯ＬＡに異常が発生し、ランプ異常検出回路１４がランプ異常状態であることを検出する。ランプ異常検出回路１４は、ランプ異常状態であることを示す異常ランプ検出信号を出力する（Ｓ１０９）。
【０１０１】
（９）ランプ異常検出回路１４が出力した異常ランプ検出信号を、マイコン６（異常ランプ検出判定部６２）が入力し（Ｓ１１０）、異常ランプ装着状態であると判断する（Ｓ１１１）。
【０１０２】
（１０）マイコン６（ドライブ信号生成部６１）がドライブ信号の生成を停止し、インバータ回路３の発振動作をストップする（Ｓ１１２）。
【０１０３】
（１１）インバータ回路３の発振が停止し、放電灯ＬＡが消灯する（Ｓ１１３）。
【０１０４】
（１１ａ）マイコン６（異常ランプ検出判定部６２）が、不揮発性メモリ１５に、異常ランプ装着状態であることを示す情報を書き込む（Ｓ１１４）。
【０１０５】
（１２）インバータ回路３の発振停止により、制御電源回路８が動作しなくなるので、制御電源回路８からマイコン６に対する電力の供給はストップされる。
マイコン６は、制御電源回路７からの電源供給により、その後しばらく動作を継続するので、その間に（１１ａ）の処理など、動作停止前に必要な処理を行う。
【０１０６】
（１３）制御電源回路７のコンデンサＣ３４が放電し、制御電源回路７からの電源供給も停止するので、マイコン６は動作を停止する（Ｓ１１５）。
【０１０７】
（１４）その後、マイコン６は、制御電源回路７から間歇的な電源の供給を受け、再び起動する（Ｓ１０１）。マイコン６は、再びパワーオンリセットとなり、ＲＡＭをクリアするなどの初期化動作をする（Ｓ１０２）。
【０１０８】
（１５）マイコン６のＲＡＭはクリアされるため、（８）で得られた異常ランプ装着状態についての情報は、マイクロコンピュータの揮発性メモリからクリアされている。しかし、不揮発性メモリ１５に書き込んだ異常ランプ装着状態についての情報は、残っている。
【０１０９】
（１６ａ）マイコン６（ドライブ信号生成部６１）が、不揮発性メモリ１５から異常ランプ装着状態についての情報を読み出す（Ｓ１０３）。
【０１１０】
（１６ｂ）マイコン６（ドライブ信号生成部６１）が、不揮発性メモリ１５から読み出した情報が異常ランプ装着状態であることを示す情報であるか否かを判断する（Ｓ１０４）。この場合、（１１ａ）で不揮発性メモリ１５に書き込んだ情報が残っているので、異常ランプ装着状態であることを示す情報であると判断する。
【０１１１】
（１６ｃ）不揮発性メモリ１５から読み出した情報が異常ランプ装着状態であることを示す情報であると判断したので、マイコン６（ドライブ信号生成部６１）は、ドライブ信号を生成しない（Ｓ１１５）。
【０１１２】
（１７）したがって、インバータ回路３は動作せず、制御電源回路８がマイコン６に対して電力供給をしないので、制御電源回路７からの電力供給が停止すると、マイコン６は動作を停止する。
【０１１３】
このようにして、保護状態のラッチは継続される。
すなわち、省電力のためマイコン６に電力を間歇的に供給した場合でも、マイコン６が起動するたびに、放電灯ＬＡを点灯してランプ異常状態であるか否かを検出する必要はない。
【０１１４】
このように、不揮発性メモリ１５にデータを書き込み、読み出すことにより、ランプ異常検出回路１４が検出した異常ランプ検出信号の状態を記憶させ、ラッチをかけることが可能である。
【０１１５】
次に、異常ランプ装着状態から復帰する復帰動作（Ｓ２００）について説明する。
【０１１６】
図８で説明した動作によれば、マイコン６が起動すると、放電灯ＬＡに電圧を加えることなく、不揮発性メモリ１５が記憶した異常ランプ装着状態についての情報に基づいて、ドライブ信号生成部６１が放電灯ＬＡを点灯するか否かを判断する。
しかし、放電灯ＬＡを交換した場合には、放電灯ＬＡのランプ異常状態は解消しているものと考えられるので、異常ランプ装着状態から復帰して、放電灯ＬＡを点灯する必要がある。
【０１１７】
放電灯ＬＡを交換する場合としては、放電灯点灯装置１００に電力を供給する交流電源ＡＣ（商用電源）の電源スイッチＳＷを切り（ＯＦＦ）、放電灯ＬＡを交換してから、電源スイッチＳＷを入れる（ＯＮ）作業を行うことが考えられる。
【０１１８】
そこで、電源スイッチＳＷが切れている間に放電灯ＬＡを交換した可能性を考慮して、電源スイッチＳＷを入れた直後に、放電灯ＬＡを点灯する。
【０１１９】
図９は、この実施の形態における放電灯点灯装置１００による異常ランプ装着状態からの復帰動作の処理の流れを示すフローチャート図である。
【０１２０】
Ｓ２１１において、電源投入検出回路１６は、放電灯点灯装置１００の直流電源回路１１０に対する交流電源ＡＣからの電力の供給が開始した直後であるか否かを検出し、電源投入検出信号を出力する。
【０１２１】
なお、放電灯点灯装置１００に対する交流電源ＡＣからの電力は継続して供給されている場合であっても、制御電源回路７からマイコン６に対して供給される電力は間歇的なので、マイコン６が起動直後であっても、放電灯点灯装置１００に対して交流電源ＡＣからの電力供給が開始されたばかりであるとは限らない。
そこで、電源投入検出回路１６により、電源投入直後であるか否かを検出する必要がある。
【０１２２】
Ｓ２１２において、電源投入リセット部６３は、マイコン６を用いて、Ｓ２１１で電源投入検出回路１６が出力した電源投入検出信号を入力する。
【０１２３】
Ｓ２１３において、電源投入リセット部６３は、マイコン６を用いて、Ｓ２１２で電源投入検出回路１６から入力した電源投入検出信号が、電源投入直後であることを示す信号か、電源投入直後でないことを示す信号かを判断する。
電源投入直後であることを示す信号である場合には、Ｓ２１４へ進む。
電源投入直後でないことを示す信号である場合には、Ｓ１１５へ進み、処理を終了する。
【０１２４】
Ｓ２１４において、電源投入リセット部６３は、マイコン６を用いて、異常ランプ装着状態でないことを示す情報を、不揮発性メモリ１５に書き込む。
その後、Ｓ１０５へ進み、放電灯ＬＡを点灯する。
【０１２５】
これにより、電源スイッチＳＷを切って、放電灯ＬＡを交換し、その後、電源スイッチＳＷを入れた場合には、保護状態のラッチを解除し、異常ランプ装着状態から復帰する。
すなわち、放電灯ＬＡを点灯してみて（Ｓ１０５〜Ｓ１０６）、放電灯ＬＡが交換されたか否かを検出する。
放電灯ＬＡが正常なものに交換されている場合は、そのまま点灯を継続する（Ｓ１０７〜Ｓ１０８）。
また、放電灯ＬＡが交換されていない場合は、ランプ異常検出回路１４が再びランプ異常状態を検出する（Ｓ１０９）。放電灯ＬＡを消灯し（Ｓ１１２〜Ｓ１１３）、異常ランプ装着状態に戻る（Ｓ１１４）。
【０１２６】
また、放電灯ＬＡを交換する場合として、電源スイッチＳＷを切らずに、放電灯ＬＡを交換する作業を行うことも考えられる。
そこで、フィラメント検出回路１７が、放電灯ＬＡのフィラメントがないことを検出した場合に、放電灯ＬＡの交換作業をしているものと考え、これをラッチ解除信号として、異常ランプ装着状態から復帰することとしてもよい。
【０１２７】
図１０は、この実施の形態における放電灯点灯装置１００による異常ランプ装着状態からの復帰動作の処理の流れの別の例を示すフローチャート図である。
【０１２８】
Ｓ２２１において、フィラメント検出回路１７は、放電灯ＬＡのフィラメントがあるか否かを検出し、フィラメント検出信号を出力する。
【０１２９】
Ｓ２２２において、フィラメントリセット部６４は、マイコン６を用いて、Ｓ２２１でフィラメント検出回路１７が出力したフィラメント検出信号を入力する。
【０１３０】
Ｓ２２３において、フィラメントリセット部６４は、マイコン６を用いて、Ｓ２２２でフィラメント検出回路１７から入力したフィラメント検出信号が、放電灯ＬＡのフィラメントがあることを示す信号か、フィラメントがないことを示す信号かを判断する。
フィラメントがないことを示す信号である場合には、Ｓ２２４へ進む。
フィラメントがあることを示す信号である場合には、Ｓ１１５へ進み、処理を終了する。
【０１３１】
Ｓ２２４において、電源投入リセット部６３は、マイコン６を用いて、異常ランプ装着状態でないことを示す情報を、不揮発性メモリに書き込む。
その後、Ｓ１１５へ進み、処理を終了する。
【０１３２】
なお、ここでは説明しなかったが、フィラメント検出回路１７がフィラメントなしを検出した場合には、異常ランプ装着状態でなくても、放電灯ＬＡを点灯せず、処理を終了するものとする。
【０１３３】
放電灯ＬＡの交換作業が終了し、フィラメント検出回路１７がフィラメントありを検出すると、放電灯点灯装置１００は、放電灯ＬＡを点灯する（Ｓ１０５〜Ｓ１０６）。
放電灯ＬＡが正常なものに交換されている場合は、そのまま点灯を継続する（Ｓ１０７〜Ｓ１０８）。
また、放電灯ＬＡが交換されていない場合は、ランプ異常検出回路１４が再びランプ異常状態を検出する（Ｓ１０９）。放電灯ＬＡを消灯し（Ｓ１１２〜Ｓ１１３）、異常ランプ装着状態に戻る（Ｓ１１４）。
【０１３４】
なお、フィラメント検出回路１７は、放電灯ＬＡのフィラメントが切れている場合にもフィラメントなしとして検出する。その場合でも、放電灯ＬＡを交換しなければ、フィラメントあり状態にはならないので、フィラメントがないことを検出した場合に、放電灯ＬＡの交換作業をしていると判断してかまわない。
【０１３５】
また、以上の説明では、異常ランプ装着状態から復帰する場合として、電源投入直後の場合と、フィラメントなしを検出した場合とを別々に説明したが、両方の条件を判断し、どちらかの条件を満たせば、異常ランプ装着状態から復帰することとしてもよい。また、他の条件と組み合わせて復帰条件を判断してもよい。
【０１３６】
この実施の形態における放電灯点灯装置１００によれば、ランプ異常検出回路１４が、放電灯ＬＡが異常状態であることを検出した場合に、不揮発性メモリ１５が異常ランプ装着状態であることを記憶し、不揮発性メモリ１５が異常ランプ装着状態であることを記憶していない場合に、インバータ回路３が、放電灯ＬＡを点灯する電力を放電灯ＬＡに対して供給するので、放電灯ＬＡが異常状態である場合に、再び放電灯ＬＡを点灯する必要がなく、消費電力を抑えることができるという効果を奏する。
【０１３７】
この実施の形態における放電灯点灯装置１００によれば、処理装置（マイコン６）がプログラムを実行することにより実現されるドライブ信号生成部６１が、不揮発性メモリ１５から読み出した情報が、異常ランプ装着状態でないことを示す情報であると判断した場合に、ドライブ信号を生成し出力するので、放電灯ＬＡが異常状態である場合に、再び放電灯ＬＡを点灯する必要がなく、消費電力を抑えることができる放電灯点灯装置１００の回路構成を簡単にすることができ、製造コストを抑えることができるという効果を奏する。
【０１３８】
この実施の形態における放電灯点灯装置１００によれば、インバータ回路３が放電灯ＬＡを点灯するための電力を放電灯ＬＡに対して供給していない場合に、処理装置（マイコン６）を動作させる電源を、制御電源回路７が間歇的に供給するので、放電灯ＬＡが異常状態であるためにインバータ回路３が発振を停止した場合に、制御電源回路７及び処理装置（マイコン６）における消費電力を抑えることができるという効果を奏する。
【０１３９】
この実施の形態における放電灯点灯装置１００によれば、電源投入検出回路１６が、電源投入直後であるか否かを検出し、電源投入直後である場合には、不揮発性メモリ１５が異常ランプ装着状態でないことを示す情報を記憶するので、電源を切って放電灯ＬＡを交換した場合に、異常ランプ装着状態から復帰し、放電灯ＬＡを点灯することができるという効果を奏する。
【０１４０】
この実施の形態における放電灯点灯装置１００によれば、処理装置（マイコン６）がプログラムを実行することにより実現する電源投入リセット部６３が、電源投入検出回路１６から入力した信号が電源投入直後であることを示すと判断した場合に、異常ランプ装着状態でないとを示す情報を不揮発性メモリ１５に書き込むので、電源を切って放電灯ＬＡを交換した場合に、異常ランプ装着状態から復帰し、放電灯ＬＡを点灯することができる放電灯点灯装置１００の回路構成を簡単にすることができ、製造コストを抑えることができるという効果を奏する。
【０１４１】
この実施の形態における放電灯点灯装置１００によれば、フィラメント検出回路１７が、放電灯ＬＡのフィラメントの有無を検出し、フィラメントがない場合には、不揮発性メモリ１５が異常ランプ装着状態でないことを示す情報を記憶するので、電源を入れたまま放電灯を交換した場合に、異常ランプ装着状態から復帰し、放電灯ＬＡを点灯することができるという効果を奏する。
【０１４２】
この実施の形態における放電灯点灯装置１００によれば、処理装置（マイコン６）がプログラムを実行することにより実現するフィラメントリセット部６４が、フィラメント検出回路１７から入力した信号が放電灯ＬＡのフィラメントがないことを示すと判断した場合に、異常ランプ装着状態でないとを示す情報を不揮発性メモリ１５に書き込むので、電源を入れたまま放電灯ＬＡを交換した場合に、異常ランプ装着状態から復帰し、放電灯ＬＡを点灯することができる放電灯点灯装置１００の回路構成を簡単にすることができ、製造コストを抑えることができるという効果を奏する。
【０１４３】
この実施の形態における放電灯点灯方法によれば、ランプ異常検出回路１４が、放電灯ＬＡが異常状態であることを検出した場合に、不揮発性メモリ１５が異常ランプ装着状態であることを記憶し、不揮発性メモリ１５が異常ランプ装着状態であることを記憶していない場合に、インバータ回路３が、放電灯ＬＡを点灯する電力を放電灯ＬＡに対して供給するので、放電灯ＬＡが異常状態である場合に、再び放電灯ＬＡを点灯する必要がなく、消費電力を抑えることができるという効果を奏する。
【０１４４】
実施の形態２．
実施の形態２を、図１１〜図１４を用いて説明する。
この実施の形態における放電灯点灯装置１００の全体構成は、実施の形態１で図１を用いて説明したものと同様なので、共通する部分についての説明は省略する。
【０１４５】
不揮発性メモリ１５は、異常ランプ装着状態についての情報に加えて、フィラメントなし状態についての情報を記憶する。
不揮発性メモリ１５は、例えば、２ビットの情報を保持する。
不揮発性メモリ１５が保持する２ビットの情報のうち、１ビットは、異常ランプ装着状態である場合には「１」を保持し、異常ランプ装着状態でない場合には「０」を保持する。
不揮発性メモリ１５が保持する２ビットの情報のうち、他の１ビットは、フィラメントなし状態である場合には「１」を保持し、フィラメントなし状態でない（フィラメントあり状態である）場合には「０」を保持する。
なお、不揮発性メモリ１５は、上記２つの情報を、同じアドレスの異なるビットに記憶してもよいし、異なるアドレスに記憶してもよい。あるいは、物理的に異なる２つの不揮発性メモリにより、それぞれの情報を記憶してもよい。
【０１４６】
図１１は、この実施の形態において、マイコン６がプログラムを実行することにより実現される機能ブロックの構成を示すブロック構成図である。
なお、ここで説明する各ブロックは、マイコン６がプログラムを実行することにより実現するのではなく、論理回路を用いて実現してもよい。
また、実施の形態１で図６を用いて説明した機能ブロックと共通するブロックについては、共通の符号を付し、ここでは説明を省略する。
【０１４７】
フィラメントなし記憶部６５は、フィラメント検出回路１７が放電灯ＬＡのフィラメントがないことを検出した場合に、フィラメントなし状態であることを示す情報を不揮発性メモリ１５に書き込む。
すなわち、フィラメントなし記憶部６５は、マイコン６を用いて、フィラメント検出回路１７が出力したフィラメント検出信号を入力する。
フィラメントなし記憶部６５は、マイコン６を用いて、入力したフィラメント検出信号が、放電灯ＬＡのフィラメントがないことを示す信号であるか否かを判断する。
フィラメントなし記憶部６５は、入力したフィラメント検出信号が、放電灯ＬＡのフィラメントがないことを示す信号であると判断した場合、マイコン６を用いて、フィラメントなし状態であることを示す情報を、不揮発性メモリ１５に書き込む。
【０１４８】
フィラメントリセット部６４は、フィラメントリセットを判定する。
すなわち、フィラメントリセット部６４は、マイコン６を用いて、フィラメント検出回路１７が出力したフィラメント検出信号を入力する。
フィラメントリセット部６４は、マイコン６を用いて、入力したフィラメント検出信号が、放電灯ＬＡのフィラメントがあることを示す信号であるか否かを判断する。
フィラメントリセット部６４は、入力したフィラメント検出信号が、放電灯ＬＡのフィラメントがあることを示す信号であると判断した場合、マイコン６を用いて、フィラメントなし状態についての情報を、不揮発性メモリ１５から読み出す。
フィラメントリセット部６４は、マイコン６を用いて、読み出したフィラメントなし状態についての情報が、フィラメントなし状態であることを示す情報であるか否かを判断する。
フィラメントリセット部６４は、読み出したフィラメントなし状態についての情報が、フィラメントなし状態であることを示す情報である場合、マイコン６を用いて、異常ランプ装着状態でないことを示す情報を、不揮発性メモリ１５に書き込む。
【０１４９】
これにより、フィラメント検出回路１７が放電灯ＬＡのフィラメントがないことを検出したのちに、フィラメント検出回路１７が放電灯ＬＡのフィラメントがあることを検出した場合に、異常ランプ装着状態から復帰することができる。
【０１５０】
図１２〜図１４は、この実施の形態における放電灯点灯装置１００による放電灯点灯動作の処理の流れを示すフローチャート図である。
なお、実施の形態１で図８〜図１０を用いて説明した工程と共通する工程については、共通の符号を付し、ここでは説明を省略する。
【０１５１】
Ｓ１０１〜Ｓ１０２において、制御電源回路７からの電力供給を受けて、マイコン６が起動し、パワーオンリセットする。その後、Ｓ１８１へ進む。
【０１５２】
Ｓ１８１において、フィラメント検出回路１７は、放電灯ＬＡのフィラメントの有無を検出し、フィラメント検出信号を出力する。
【０１５３】
Ｓ１８２において、ドライブ信号生成部６１は、マイコン６を用いて、Ｓ１８１でフィラメント検出回路１７が出力したフィラメント検出信号を入力する。
【０１５４】
Ｓ１８３において、ドライブ信号生成部６１は、マイコン６を用いて、Ｓ１８２でフィラメント検出回路１７から入力したフィラメント検出信号が、放電灯ＬＡのフィラメントがないことを示す信号であるか、フィラメントがあることを示す信号であるかを判断する。
フィラメントがないことを示す信号である場合には、Ｓ１８５へ進み、フィラメントがあることを示す信号である場合には、Ｓ１０３へ進む。
【０１５５】
Ｓ１０３〜Ｓ１０４において、ドライブ信号生成部６１が、不揮発性メモリ１５が記憶した異常ランプ装着状態についての情報が、異常ランプ装着状態であることを示すか否かを判断する。異常ランプ装着状態である場合には、Ｓ２１１へ進む。異常ランプ装着状態でない場合には、Ｓ１８４へ進む。
【０１５６】
Ｓ１８４において、ドライブ信号生成部６１は、マイコン６を用いて、フィラメントあり状態であることを示す情報を、不揮発性メモリ１５に書き込み、Ｓ１０５へ進む。
【０１５７】
Ｓ１０５〜Ｓ１０８において、ドライブ信号生成部６１が放電灯ＬＡの予熱・始動・点灯のためのドライブ信号を生成し、出力する。これにより、インバータ回路３が動作し、放電灯ＬＡが点灯する。
【０１５８】
Ｓ１０９〜Ｓ１１１において、異常ランプ検出判定部６２は、ランプ異常検出回路１４が出力した異常ランプ検出信号を入力し、ランプ異常状態であるか否かを判断する。ランプ異常状態でない場合には、Ｓ１０７に戻り、放電灯ＬＡの点灯を継続する。ランプ異常状態である場合には、Ｓ１１２へ進む。
【０１５９】
Ｓ１１２〜Ｓ１１４において、ドライブ信号生成部６１がドライブ信号の生成を停止し、インバータ回路３が発振動作を停止し、異常ランプ検出判定部６２が異常ランプ装着状態であることを示す情報を不揮発性メモリ１５に書き込み、Ｓ１１５へ進む。
【０１６０】
Ｓ１８５において、フィラメントなし記憶部６５は、マイコン６を用いて、フィラメントなし状態であることを示す情報を、不揮発性メモリ１５に書き込み、Ｓ１１５へ進む。
【０１６１】
Ｓ２１１〜Ｓ２８３は、復帰動作であり、Ｓ２１１〜Ｓ２１３において、電源投入リセット部６３は、電源投入検出回路１６が出力した電源投入検出信号を入力し、電源投入直後であるか否かを判断する。電源投入直後である場合には、Ｓ２１４へ進み、電源投入直後でない場合には、Ｓ２８１へ進む。
【０１６２】
Ｓ２８１において、フィラメントリセット部６４は、マイコン６を用いて、フィラメントなし状態についての情報を、不揮発性メモリ１５から読み出す。
【０１６３】
Ｓ２８２において、フィラメントリセット部６４は、Ｓ２８１で読み出したフィラメントなし状態についての情報が、フィラメントなし状態であることを示す情報か、フィラメントあり状態であることを示す情報かを判断する。
フィラメントなし状態であることを示す情報である場合には、Ｓ２１４へ進み、フィラメントあり状態であることを示す情報である場合には、Ｓ１１５へ進む。
【０１６４】
Ｓ２１４において、電源投入リセット部６３及びフィラメントリセット部６４は、マイコン６を用いて、異常ランプ装着状態でないことを示す情報を、不揮発性メモリ１５に書き込み、Ｓ２８３へ進む。
【０１６５】
Ｓ２８３において、フィラメントリセット部６４は、マイコン６を用いて、フィラメントあり状態であることを示す情報を、不揮発性メモリ１５に書き込み、Ｓ１８４へ進む。
【０１６６】
これにより、放電灯ＬＡのフィラメントがあり、かつ、放電灯ＬＡが異常状態でない場合に、放電灯ＬＡを点灯させる。
ここで、放電灯ＬＡのフィラメントがあるか否かは、放電灯ＬＡを点灯させようとする前に、フィラメント検出回路１７が検出できるので、最新の情報を使って判断する（Ｓ１８１〜Ｓ１８３）。これに対し、放電灯ＬＡが異常状態であるか否かは、放電灯ＬＡを点灯させようとしてみなければわからないので、不揮発性メモリ１５が記憶した情報に基づいて判断する（Ｓ１０３〜Ｓ１０４）。
【０１６７】
異常ランプ装着状態であると判断した場合は、復帰条件を満たしているか否かをチェックするため復帰動作を行う（Ｓ２１１〜Ｓ２８３）。
【０１６８】
ここでは、実施の形態１で説明したのと同様、電源スイッチＳＷの操作により、放電灯点灯装置１００全体の電源を落とし、その後、電源を再び入れた場合を、復帰条件の１つとしている（Ｓ２１１〜Ｓ２１３）。
また、電源を入れたまま、放電灯ＬＡを外し、その後、放電灯ＬＡを装着した場合も、復帰条件の１つとしている（Ｓ２８１〜Ｓ２８２）。
【０１６９】
Ｓ２８１で不揮発性メモリ１５から読み出すフィラメントなし状態についての情報は、現在の状態を不揮発性メモリ１５に書き込んでいないので、前回検出した情報である。
Ｓ２８１が実行されるのは、放電灯ＬＡのフィラメントがある場合（Ｓ１８３）なので、Ｓ２８１で読み出したフィラメントなし状態についての情報がフィラメントなし状態であることを示している場合は、外していた放電灯ＬＡを装着したことを意味する。
【０１７０】
これにより、新しい放電灯ＬＡを取り付けた時点で、異常ランプ装着状態から復帰することができる。
なお、放電灯ＬＡを外した時点ではなく、放電灯ＬＡを外したのちに、放電灯ＬＡを装着した時点で、復帰条件を満たしたものを判断する点が、実施の形態１と異なっている。
【０１７１】
この実施の形態における放電灯点灯装置１００によれば、フィラメント検出回路１７が放電灯ＬＡのフィラメントがないことを示すフィラメント検出信号を出力した場合に、負不揮発性メモリ１５がそのことを記憶し、その後、フィラメント検出回路１７が放電灯ＬＡのフィラメントがあることを示すフィラメント検出信号を出力した場合に、不揮発性メモリ１５が異常ランプ装着状態でないことを示す情報を記憶するので、電源を入れたまま放電灯ＬＡを交換した場合に、異常ランプ装着状態から復帰し、放電灯ＬＡを点灯することができるという効果を奏する。
【０１７２】
この実施の形態における放電灯点灯装置１００によれば、処理装置（マイコン６）がプログラムを実行することにより実現するフィラメントなし記憶部６５が、フィラメント検出回路１７から入力した信号が放電灯ＬＡのフィラメントがあることを示すと判断して、不揮発性メモリ１５にそのことを書き込み、その後、フィラメントリセット部６４が、フィラメント検出回路１７から入力した信号が放電灯ＬＡのフィラメントがあることを示すと判断した場合に、異常ランプ装着状態でないとを示す情報を不揮発性メモリ１５に書き込むので、電源を入れたまま放電灯ＬＡを交換した場合に、異常ランプ装着状態から復帰し、放電灯ＬＡを点灯することができる放電灯点灯装置１００の回路構成を簡単にすることができ、製造コストを抑えることができるという効果を奏する。
【０１７３】
放電灯ＬＡが異常状態（ランプ異常状態）となり、放電灯異常検出回路（ランプ異常検出回路１４）より得られた情報で、放電灯ＬＡの制御を行う。この場合、放電灯ＬＡ及び点灯回路を危険な状態になることを防ぐ保護機能が働き、一般的には放電灯ＬＡが消灯となる。
また、上記保護機能はラッチがかかり、状態を維持するようになっている。放電灯ＬＡの点灯復帰は、別の信号により前記機能のラッチ解除が必要である。一方、このような待機状態では、制御電源を間歇的に供給することにより、制御電源回路７の消費電力を低下させることができる。
【０１７４】
このような間歇的な制御電源の場合であっても、ここで説明した放電灯点灯装置によれば、制御回路（マイコン６）の電源が供給され続けず、次回制御電源復帰時に初期状態となるが、不揮発性メモリ１５が記憶しているので、保護機能のラッチが解除されることがない。
これにより、放電灯ＬＡが異常検出時に消灯状態となり、さらに、制御を行う電源が、省電力を考慮し間歇的に印加される回路方式であっても、保護機能が働き消灯状態となった場合に、保護機能のラッチが解除され、消灯→点灯→消灯（保護）→点灯…を繰り返すことにはならない。
【図面の簡単な説明】
【０１７５】
【図１】実施の形態１における放電灯点灯装置１００の全体構成を示す全体構成図。
【図２】実施の形態１における制御電源回路７の回路構成を示す回路図。
【図３】実施の形態１における制御電源回路７がマイコン６に対して供給する電源電圧を示す波形図。
【図４】実施の形態１における制御電源回路８がマイコン６に対して供給する電源電圧を示す波形図。
【図５】実施の形態１における電源投入検出回路１６の回路構成を示す回路図。
【図６】実施の形態１において、マイコン６がプログラムを実行することにより実現される機能ブロックの構成を示すブロック構成図。
【図７】実施の形態１において、放電灯ＬＡに異常が発生し、ランプ異常状態となった場合における各部の動作を示す図。
【図８】実施の形態１における放電灯点灯装置１００による放電灯点灯動作の処理の流れを示すフローチャート図。
【図９】実施の形態１における放電灯点灯装置１００による異常ランプ装着状態からの復帰動作の処理の流れを示すフローチャート図。
【図１０】実施の形態１における放電灯点灯装置１００による異常ランプ装着状態からの復帰動作の処理の流れの別の例を示すフローチャート図。
【図１１】実施の形態２において、マイコン６がプログラムを実行することにより実現される機能ブロックの構成を示すブロック構成図。
【図１２】実施の形態２における放電灯点灯装置１００による放電灯点灯動作の処理の流れを示すフローチャート図。
【図１３】実施の形態２における放電灯点灯装置１００による放電灯点灯動作の処理の流れを示すフローチャート図。
【図１４】実施の形態２における放電灯点灯装置１００による放電灯点灯動作の処理の流れを示すフローチャート図。
【符号の説明】
【０１７６】
１  電源整流回路、２  アクティブフィルタ回路、３  インバータ回路、４  負荷回路、５  ドライブ回路、６  マイクロコンピュータ、７，８  制御電源回路、１４  ランプ異常検出回路、１５  不揮発性メモリ、１６  電源投入検出回路、１７  フィラメント検出回路、６１  ドライブ信号生成部、６２  異常ランプ検出判定部、６３  電源投入リセット部、６４  フィラメントリセット部、６５  フィラメントなし記憶部、１００  放電灯点灯装置、１１０  直流電源回路、ＡＣ  交流電源、Ｃ  結合コンデンサ、Ｃ１，Ｃ２，Ｃ３，Ｃ３４，Ｃ５０  コンデンサ、Ｄ１  ダイオード、Ｌ１  インダクタ、ＬＡ  放電灯、Ｑ１，Ｑ２  ＦＥＴ、Ｑ４０，Ｑ４１，Ｑ４６  トランジスタ、Ｒ１，Ｒ２  抵抗、ＳＷ  電源スイッチ、ＺＤ３５，ＺＤ４５，ＺＤ４７  ツェナーダイオード。
【図１】
0004694979.tif 000002
【図２】
0004694979.tif 000003
【図３】
0004694979.tif 000004
【図４】
0004694979.tif 000005
【図５】
0004694979.tif 000006
【図６】
0004694979.tif 000007
【図７】
0004694979.tif 000008
【図８】
0004694979.tif 000009
【図９】
0004694979.tif 000010
【図１０】
0004694979.tif 000011
【図１１】
0004694979.tif 000012
【図１２】
0004694979.tif 000013
【図１３】
0004694979.tif 000014
【図１４】
0004694979.tif 000015